(57)【特許請求の範囲】
【請求項１】
内部に電子部品を搭載した本体と、前記本体に回動可能に取り付けられたディスプレイとよりなる被梱包用機器の両側を衝撃緩衝部材に嵌合し、パッキングケース内に収納して梱包される被梱包用機器の梱包装置であって、
外面部に設けた複数の緩衝用突起部と前記ディスプレイの側部が挿入されて回動を規制する貫通孔部とを設けた前記衝撃緩衝部材と、
前記ディスプレイを前記本体とで挟む位置に設けた両方の前記衝撃緩衝部材をつなぐ緩衝用部材とよりなることを特徴とする被梱包用機器の梱包装置。
【発明の詳細な説明】
【０００１】
【発明の属する技術分野】
本発明は、電子式キャッシュレジスタのような端末電子機器である被梱包用機器の梱包装置に関するものである。
【０００２】
【従来の技術】
被梱包物として電子式キャッシュレジスタは、装置本体に衝撃に弱いディスプレイを備え、また、装置本体の内部には電子機器が搭載してあり、この電子機器は、衝撃に弱いハードディスクを有している。
【０００３】
このような電子式キャッシュレジスタの梱包は、電子式キャッシュレジスタの左右に発泡スチロール製の緩衝部材を沿わせて、パッキングケース内に挿入されて、閉蓋後にテープで密閉されることで行なわれていた。
【０００４】
【発明が解決しようとする課題】
しかしながら、上記のように梱包が行なわれた電子式キャッシュレジスタには、そのパッキングケースの６面側において約１ｍの高さからの落下試験が実施される。この場合、電子式キャッシュレジスタのディスプレイには衝撃が緩衝部材を介して加わるために、ディスプレイが破損する場合が生じるし、また、ハードディスクの左、右方に位置する装置本体には衝撃が緩衝部材を介して加わるために、ハードディスクのが破損する場合が生じるという問題点があった。
【０００５】
本発明は、上記の問題点に着目して成されたものであって、その目的とするところは、衝撃緩衝部材の外面に設けた緩衝突起部がその衝撃を吸収緩和するようになって、被梱包用機器への衝撃を確実に緩和することができる被梱包用機器の梱包装置を提供することにある。
【０００６】
【課題を解決するための手段】
上記の課題を解決するために、本発明に係る被梱包用機器の梱包装置は、内部に電子部品を搭載した本体と、前記本体に回動可能に取り付けられたディスプレイとよりなる被梱包用機器の両側を衝撃緩衝部材に嵌合し、パッキングケース内に収納して梱包される被梱包用機器の梱包装置であって、外面部に設けた複数の緩衝用突起部と前記ディスプレイの側部が挿入されて回動を規制する貫通孔部とを設けた前記衝撃緩衝部材と、前記ディスプレイを前記本体とで挟む位置に設けた両方の前記衝撃緩衝部材をつなぐ緩衝用部材とよりなることを特徴とする。
【００１２】
したがって、本発明に係る被梱包用機器の梱包装置にあっては、被梱包用機器の左、右側部は左右（両方）の衝撃緩衝部材に挿入されていて、左右の衝撃緩衝部材の外面に設けた緩衝突起部がその衝撃を吸収緩和するので、被梱包用機器への衝撃を確実に緩和することができる。特に、端末電子機器のディスプレイの左、右側部は左右（両方）の衝撃緩衝部材の貫通孔部に挿入されていて、左右方向からの支えは無い状態であり、左右の衝撃緩衝部材の外面に設けた緩衝突起部がその衝撃を吸収緩和するので、ディスプレイへの衝撃を緩和するし、また、装置本体の内部の電子部品のうち特に衝撃に弱いハードディスクのような電子部品の左、右方に位置する装置本体では、左右の衝撃緩衝部材の緩衝突起部が特に衝撃を吸収緩和して、ハードディスクへの衝撃を緩和することができる。
【００１３】
【発明の実施の形態】
以下、本発明の実施の形態を図面に基づいて説明する。
【００１４】
本発明に係る被梱包用機器の梱包装置は、内部に電子部品を搭載した本体と、前記本体に回動可能に取り付けられたディスプレイとよりなる被梱包用機器の両側を衝撃緩衝部材に嵌合し、パッキングケース内に収納して梱包される被梱包用機器の梱包装置であって、外面部に設けた複数の緩衝用突起部と前記ディスプレイの側部が挿入されて回動を規制する貫通孔部とを設けた前記衝撃緩衝部材と、前記ディスプレイを前記本体とで挟む位置に設けた両方の前記衝撃緩衝部材をつなぐ緩衝用部材とよりなることを特徴とする。
【００１５】
かかる構成により、被梱包用機器の左、右側部は左右（両方）の衝撃緩衝部材に挿入されていて、左右の衝撃緩衝部材の外面に設けた緩衝突起部がその衝撃を吸収緩和するので、被梱包用機器への衝撃を確実に緩和することができる。
【００２６】
図１は本発明に係る被梱包用機器の梱包装置の分解状態の斜視図である。
【００２７】
被梱包用機器としての電子式キャッシュレジスタ１は装置本体２を備えており、この装置本体２には衝撃に弱いディスプレイ３が傾動可能に取り付けてある。そして、装置本体２の内部には電子機器（図示せず）が搭載してあり、この電子機器は、衝撃に弱いハードディスク４を備えていて、このハードディスク４はベース２の前側に配置してある。
【００２８】
本発明に係る梱包装置は、パッキングケース５と、左右の衝撃緩衝部材６、４２と付属品収納部材４３とから構成してある。
【００２９】
左の衝撃緩衝部材６の材質は発泡ポリプロピレン（発泡プラスチック）である。そして、この左の衝撃緩衝部材６は、図２乃至図６に示すように長方形状で厚板状の部材本体６Ａを備えており、この部材本体６Ａの内面６ａには、その下半分に位置させてその深さが順次深くなる第１の凹部７が、また、上半分に位置させて第２の凹部１０が形成してあり、第１の凹部７には略水平に、電子式キャッシュレジスタ１の装置本体２の左側部２ａが挿入される被梱包用機器の嵌合部である装置本体嵌合凹部１１が形成してあり、また、第２の凹部１０には前傾状態の電子式キャッシュレジスタ１のディスプレイ３の左側部３ａが挿入される被梱包用機器の貫通孔部であるディスプレイ用貫通孔部１２が設けてある。
【００３０】
また、部材本体６Ａの内面６ａの前側部には付属品収納部材装着部である凹部から成る部材装着部１３と、この部材装着部１３の下方に位置する第５の凹部１４とが形成してあり、後側部には第４の凹部１５が形成してある。部材装着部１３の上面に部材本体６Ａの上面部１６ｃに開口していて、この開口部２０の後部には係合部２１が形成してある。
【００３１】
そして、部材本体６Ａには、これの前端面部１６ａと部材装着孔部１３、第３の凹部１４及び第１の凹部７との間に位置する第１の縦リブ部１６と、部材装着孔部１３、第３の凹部１４と第２の凹部１０との間に位置する第２の縦リブ部１７と、第２の凹部１０と第４の凹部１５との間に位置する第３の縦リブ部１８と、第６の凹部１５と部材本体６Ａの後端面部１６ｂとの間に位置する第４の縦リブ部１９と、装置本体嵌合凹部１１と部材本体６Ａの後端面部１６ｂとの間に位置する第５の縦リブ部２６とが形成してある。そして、第３、第４の縦リブ部１８、１９は第５の縦リブ部８に連なっている。
【００３２】
また、部材本体６Ａには、これの上面部１６ｃと第２の凹部１０との間に位置する第１の横リブ部２２と、部材装着部１３と第５の凹部１４との間に位置する第２の横リブ部２３と、第３の凹部１４と装置本体嵌合凹部１１との間に位置する第３の横リブ部２４と、第１の凹部７と部材本体６Ａの下面部１６ｄとの間に位置する第４の横リブ部２５とが形成してある。
【００３３】
そして、第１の横リブ部２２は第２、第３、第４の縦リブ部１７、１８、１９に連なっており、第４の横リブ部２５は第１、第４の縦リブ部１６、１９に連なっている。
【００３４】
そして、部材本体６Ａの前面部１６ａには第１の横リブ部２２の延長上に位置させて第１の前側緩衝突起部２６が、また、装置本体嵌合凹部１１の延長上に位置させて第２の前側緩衝突起部２７がそれぞれ突設してあり、部材本体６Ａの後面部１６ｂには第１の横リブ部２２の延長上に位置させて第１の後側緩衝突起部２８が、また、装置本体嵌合凹部１１の延長上に位置させて第２の後側緩衝突起部２９がそれぞれ突設してある。
【００３５】
また、部材本体６Ａの上面部１６ｃには第１、第２、第４の縦リブ部１６、１７、１９の略延長上に位置させて第１、第２、第３の上側緩衝突起部３０、３１、３２が突設してあり、部材本体６Ａの下面部１６ｄには第１、第４の縦リブ部１６、１９の略延長上に位置させて第１、第４の下側緩衝突起部３３、３６が、装置本体嵌合凹部１１の下面部に対応した第２、第３の下側緩衝突起部３４、３５がそれぞれ突設してある。
【００３６】
また、部材本体６Ａの外側面部１６ｅには、その上側で且つ第１、第２、第４の縦リブ部１６、１７、１９に重なるようにして第１、第２、第３の外側緩衝突起部３６、３７、３８が突設してあり、また、部材本体６Ａの外側面部１６ｅには、その下側で且つ第１、第４の縦リブ部１６、１９に重なるようにして第４、第６の外側緩衝突起部３９、４１が、装置本体嵌合凹部１１に重なるようにして第５の外側緩衝突起部４０がそれぞれ突設してある。
【００３７】
右の衝撃緩衝部材４２の材質は発泡ポリプロピレン（発泡プラスチック）でである。そして、この右の衝撃緩衝部材４６は、図７及び図８に示すように左の衝撃緩衝部材６と面対称に成されていて、左の衝撃緩衝部材６に対応する部位は同じ符号を付して説明を省略する。
【００３８】
付属品収納部材４３はボール紙製であって、中空な四角柱形状である。そして、この付属品収納部材４３の展開形状は、図９に示すように長方形状のボール紙から成る部材４３Ａに４つの折り目４４を形成したものである。そして、折り目４４で直角に折り曲げて中空な四角柱形状の付属品収納部材４３が形成される。
【００３９】
次に、被梱包用機器としての電子式キャッシュレジスタ１の梱包について説明する。
【００４０】
まず、被梱包用機器としての電子式キャッシュレジスタ１は合成樹脂フィルム製の袋４５に収納された後に、電子式キャッシュレジスタ１の左側に左の衝撃緩衝部材６が装着される。この装着は、電子式キャッシュレジスタ１の装置本体２の左側部２ａが装置本体嵌合凹部１１に嵌合され、また、電子式キャッシュレジスタ１のディスプレイ３の左側部３ａがディスプレイ用貫通孔部１２に挿入されて行われる。
【００４１】
また、電子式キャッシュレジスタ１の右側に右の衝撃緩衝部材４２が装着される。この装着は、電子式キャッシュレジスタ１の装置本体２の右側部２ｂが装置本体嵌合凹部１１に嵌合され、また、電子式キャッシュレジスタ１のディスプレイ３の右側部３ｂがディスプレイ用貫通孔部１２に挿入されて行われる。
【００４２】
次に、内部に付属品を収納した付属品収納部材４３の左、右端部を、左右の衝撃緩衝部材６、４２の部材装着部１３に、その開口部２０から挿入され装着される。この場合、係合部２１が付属品収納部材４３の左、右端部に引っ掛かり抜けが防止される。
【００４３】
次に、左右に衝撃緩衝部材６、４２を装着した電子式キャッシュレジスタ１はパッキングケース５内に挿入されて、閉蓋後にテープ４６で密閉される。
【００４４】
上記したように、左右に衝撃緩衝部材６、４２を装着した電子式キャッシュレジスタ１はパッキングケース５内に収納された状態では、左右の衝撃緩衝部材６、４２の第１、第２の前側緩衝突起部２６、２７はパッキングケース５の前面部５Ａの内面に当接し、左右の衝撃緩衝部材６、４２の第１、第２の後側緩衝突起部２８、２９はパッキングケース５の後面部５Ｂの内面に当接し、左右の衝撃緩衝部材６、４２の第１〜第３の上側緩衝突起部３０、３１、３２はパッキングケース５の上面部５Ｃの内面に当接し、第１〜第４の下側緩衝突起部３３、３４、３５、３６はパッキングケース５の下面部５Ｄの内面に当接し、左の衝撃緩衝部材６の第１〜第６の外側緩衝突起部９、３７、３８、３９、４０、４１はパッキングケース５の左面部５Ｅの内面に当接し、右の衝撃緩衝部材４２の第１〜第６の外側緩衝突起部９、３７、３８、３９、４０、４１はパッキングケース５の右面部５Ｆの内面に当接する。
【００４５】
また、付属品収納部材４３の左、右端面部は左右の衝撃緩衝部材６、４２の部材装着部１３の端面部に当接していて、一種の内部の緩衝部材を構成する。
【００４６】
このように梱包を行った状態では、電子式キャッシュレジスタ１のディスプレイ３の左、右側部３ａ、３ｂは左右の衝撃緩衝部材６、４２のディスプレイ用貫通孔部１２に挿入されていて、左右方向からの支えは無い状態である。また、電子式キャッシュレジスタ１の装置本体２の内部前側に配置されている電子部品のハードディスク４は、このハードディスク４の左、右方に位置する装置本体２が左右の衝撃緩衝部材６、４２の第１、第２の下側緩衝突起部３３、３４、第２の前、後側緩衝突起部２７、２９及び第１、第２、第４、第５の外側緩衝突起部９、３７、３９、４０で囲まれた状態である。
【００４７】
上記のように梱包が行なわれた電子式キャッシュレジスタ１には、そのパッキングケース５の６面側において約１ｍの高さからの落下試験が実施される。この場合、電子式キャッシュレジスタ１のディスプレイ３の左、右側部３ａ、３ｂは左右の衝撃緩衝部材６、４２のディスプレイ用貫通孔部１２に挿入されていて、左右方向からの支えは無い状態であり、左右の衝撃緩衝部材６、４２の前後左右側及び外面側緩衝突起部２６〜３６、９、３７〜４１がその衝撃を吸収緩和するので、ディスプレイ３への衝撃は弱いものになるし、また、ハードディスク４の左、右方に位置する装置本体２が左右の衝撃緩衝部材６、４２の第１、第２の下側緩衝突起部３３、３４、第２の前、後側緩衝突起部２７、２９及び第１、第２、第４、第５の外側緩衝突起部９、３７、３９、４０で囲まれた状態であるために、これらの緩衝突起部が特に衝撃を吸収緩和して、ハードディスク４への衝撃は弱いものになる。
【００４８】
また、左右の衝撃緩衝部材６、４２に縦リブ部１６〜１９と横リブ部２２〜２５とを形成して、縦リブ部１６〜１９の延長上に縦方向に向けた緩衝用突起部３０、３１、３２を配置し、横リブ部２２の延長上に横方向に向けた緩衝用突起部２６、２８を配置するようにしてあるために、縦方向に向けた緩衝用突起部３０、３１、３２に加わる衝撃は縦リブ部１６〜１９でも受けることができ、また、横方向に向けた緩衝用突起部２６、２８に加わる衝撃は横リブ部２２でも受けることができて、衝撃緩衝部材６、４２に保持された電子式キャッシュレジスタ１側への衝撃の伝達を無くすことができて電子式キャッシュレジスタ１への衝撃を緩和することができる。
【００４９】
また、左右の衝撃緩衝部材６、４２の外面に設けた左右の衝撃緩衝部材６、４２の前後左右側及び外面側緩衝突起部２６〜３６、９、３７〜４１がその衝撃を吸収緩和するので、電子式キャッシュレジスタ１への衝撃を緩和することができるばかりか、両衝撃緩衝部材６、４２の間に介在させた付属品収納部材４３でも衝撃を緩衝することができる。
【００５０】
また、左右の衝撃緩衝部材６、４２の材質に発泡ポリプロピレン（発泡プラスチック）を用いたために、耐衝撃性を向上させることができる。
【００５１】
【発明の効果】
以上説明したように、本発明に係る被梱包用機器の梱包装置にあっては、被梱包用機器の左、右側部は左右（両方）の衝撃緩衝部材に挿入されていて、左右の衝撃緩衝部材の外面に設けた緩衝突起部がその衝撃を吸収緩和するので、被梱包用機器への衝撃を確実に緩和することができる。特に、端末電子機器のディスプレイの左、右側部は左右（両方）の衝撃緩衝部材の貫通孔部に挿入されていて、左右方向からの支えは無い状態であり、左右の衝撃緩衝部材の外面に設けた緩衝突起部がその衝撃を吸収緩和するので、ディスプレイへの衝撃を緩和するし、また、装置本体の内部の電子部品のうち特に衝撃に弱いハードディスクのような電子部品の左、右方に位置する装置本体では、左右の衝撃緩衝部材の緩衝突起部が特に衝撃を吸収緩和して、ハードディスクへの衝撃を緩和することができる。
【図面の簡単な説明】
【図１】本発明に係る被梱包用機器の梱包装置の分解状態の斜視図情報端末機器としての電子式キャッシュレジスタの斜視図
【図２】左側の衝撃緩衝部材の内面を示す平面図
【図３】左側の衝撃緩衝部材の外側面を示す平面図
【図４】図２のＡ−Ａ線に沿う断面図
【図５】図２のＢ−Ｂ線に沿う断面図
【図６】図２のＣ−Ｃ線に沿う断面図
【図７】右側の衝撃緩衝部材の内面を示す平面図
【図８】右側の衝撃緩衝部材の外側面を示す平面図
【図９】付属品収納部材の展開図
【符号の説明】
１  電子式キャッシュレジスタ（被梱包用機器）
２  装置本体
３  ディスプレイ
４  ハードディスク
５  パッキングケース
２６、２７  前側緩衝突起部
２８、２９  後側緩衝突起部
３０〜３２  上側緩衝突起部
３３〜３６  下側緩衝突起部
９、３７〜４１  外面側緩衝突起部
【図１】
0004012999.tif 000002
【図２】
0004012999.tif 000003
【図３】
0004012999.tif 000004
【図４】
0004012999.tif 000005
【図５】
0004012999.tif 000006
【図６】
0004012999.tif 000007
【図７】
0004012999.tif 000008
【図８】
0004012999.tif 000009
【図９】
0004012999.tif 000010